(57)【要約】【課題】  外部からの力が加わっても壊れにくい高い堅牢性を有する表示装置及び表示モジュールを提供する。【解決手段】  カバープレート３の左側部に、封止基板２３の左側端部３０ａよりも左側の領域に対応した画素基板６（ガラス基板Ｓ）に接触しないように凸形状に盛り上った形状をした非接触部３１ａを設けた。また、カバープレート３の右側部に、封止基板２３の右側端部３０ｂよりも右側の領域に対応した画素基板６（ガラス基板Ｓ）に接触しないように光出射方向に凸形状に盛り上った形状を成した非接触部３１ｂを設けた。【選択図】      図１
2006323145.tif 000002
【特許請求の範囲】
【請求項１】
電気光学素子を有する画素が複数形成された画素形成領域を備えた画素基板と、前記画素形成領域を封止する封止基板と、前記画素基板を覆うカバープレートとを備えた表示装置において、
前記カバープレートは、前記封止基板が配置された領域の外側の領域では、前記画素基板と接触しない非接触部を有することを特徴とする表示装置。
【請求項２】
請求項１に記載の表示装置において、
前記非接触部は、前記画素基板の左右側に対応した位置に形成されていることを特徴とする表示装置。
【請求項３】
請求項１または２に記載の表示装置において、
前記画素基板は、ガラスで構成されていることを特徴とする表示装置。
【請求項４】
請求項１乃至３のいずれか一つに記載の表示装置において、
前記電気光学素子は、エレクトロルミネッセンス素子であることを特徴する表示装置。
【請求項５】
請求項１乃至４に記載の表示装置において、
前記カバープレートは、前記画素形成領域に対応する位置に前記電気光学素子にて発せられた光を外部へ導く開口部を備えていることを特徴とする表示装置。
【請求項６】
請求項１乃至５のいずれか一つに記載の表示装置を備えたことを特徴とする表示モジュール。
【発明の詳細な説明】
【技術分野】
【０００１】
本発明は、表示装置及び表示モジュールに関する。
【背景技術】
【０００２】
従来、自動車等の車両のインストルメントパネルに搭載される車両情報の表示装置として、液晶ディスプレイを備えた表示装置が知られている（たとえば、特許文献１）。この種の表示装置は、そのディスプレイ部に、自動車の車速をアナログ表示するスピードメータやエンジン回転数をアナログ表示するタコメータ等を表示させるようになっている。
【特許文献１】特開２００４−２９１７３１号公報
【発明の開示】
【発明が解決しようとする課題】
【０００３】
ところで、一般に、表示装置のディスプレイ部は、画素領域を備えた画素基板と画素領域を封止して画素の劣化を抑制する封止基板とが互いに重なり合うように積層されて構成されている。そして、ディスプレイ部の表面に、カバープレートを取り付けるとともに、このカバープレートを介して各種インジケータ等が備え付けられた化粧板に取り付けられることで、インストルメントパネルが構成されている。
【０００４】
しかしながら、ディスプレイ部が、所謂ボトムエミッションタイプのディスプレイである場合、上記表示装置は、画素基板の光出射面上にカバープレートを取り付けるとともに、その反対側の面上に封止基板が配置されるような構造となる。そして、この場合、画素基板は、光透過性を有する、例えばガラス基板で構成される。
【０００５】
従って、化粧板をカバープレートに取り付ける場合やインストルメントパネルを車両に取り付ける場合、カバープレートを介して画素基板に力が加わる虞がある。このとき、画素基板のサイズが封止基板のサイズよりも大きいと、その力の作用点が封止基板の端によりも外側にある画素基板上に位置するため、封止基板の端で画素基板が割れてしまうという問題があった。
【０００６】
本発明は、このような従来の問題点に着目してなされたもので、その目的は、外部からの力が加わっても壊れにくい高い堅牢性を有する表示装置及び表示モジュールを提供することにある。
【課題を解決するための手段】
【０００７】
本発明における表示装置は、電気光学素子を有する画素が複数形成された画素形成領域を備えた画素基板と、前記画素形成領域を封止する封止基板と、前記画素基板を覆うカバープレートとを備えた表示装置において、前記カバープレートは、前記封止基板が配置された領域の外側の領域では、前記画素基板と接触しない非接触部を有した。
【０００８】
これによれば、カバープレートに加わる力の作用点が、封止基板の端部よりも外側にある画素基板上に位置せずに、画素基板と封止基板とが重なり合った強固な位置に保持される。従って、その力によって画素基板が破損することはない。この結果、堅牢な表示装置を実現することができる。
【０００９】
この表示装置において、前記非接触部は、前記画素基板の左右側に対応した位置に形成されていてもよい。
これによれば、画素基板の上下左右側に対応した位置に非接触部を形成するのではないので、カバープレートの加工が簡単になる。
【００１０】
この表示装置において、前記画素基板は、ガラスで構成されていてもよい。
これによれば、画素形成領域上に表示された画像が、画素基板を透過して封止基板側と反対側の面、つまり、カバープレート側に表示される、所謂ボトムエミッション型の表示装置の堅牢性を向上させることができる。
【００１１】
この表示装置において、前記電気光学素子は、エレクトロルミネッセンス素子であってもよい。
これによれば、画素領域に表示される画像は、高輝度・高精彩なものになる。
【００１２】
この表示装置において、前記カバープレートは、前記画素形成領域に対応する位置に前記電気光学素子にて発せられた光を外部へ導く開口部を備えていてもよい。
これによれば、開口部を通して画素領域に表示される画像を視認させることができる。
【００１３】
本発明の表示モジュールは、上記記載の表示装置を備えている。
これによれば、表示装置は、その画素基板が破損しにくいので、堅牢性に優れた表示モジュールを実現することができる。
【発明を実施するための最良の形態】
【００１４】
以下、本発明を具体化した各実施形態を、図面に基づいて説明する。なお、各実施形態の説明において同様の部位には同一の符号を付して重複した説明を省略する。
（第１実施形態）
第１実施形態に係る表示装置を図１〜図６に従って説明する。
【００１５】
図１は、表示装置１の分解斜視図であり、図２は、表示装置１の上面図である。
図１及び図２に示すように、表示装置１は、表示パネル２と、該表示パネル２の光出射面（パネル表面）２Ａ側に取り付けられるカバープレート３とを備えている。
【００１６】
図１に示すように、表示パネル２は、ディスプレイ部４とプリント回路基板（ＰＣＢ）（以下、単に「プリント基板」という）５とから構成されている。
図３は、ディスプレイ部４をプリント基板５側から見たときの正面図である。図３に示すように、ディスプレイ部４は、画素基板６と４個のフレキシブル回路基板７とから構成されている。
【００１７】
画素基板６は、その中央に略四角形状の画素形成領域としての発光エリア８を備えている。一方、発光エリア８以外の領域（以下、「非発光エリア」という）１０には、前記フレキシブル回路基板７の他に一対の走査線ドライバ１１が形成されている。
【００１８】
図４は、発光エリア８の詳細を説明するための図である。
図４に示すように、発光エリア８には、行方向（図４中Ｘ矢印方向）にｍ本の走査線１２が、また、列方向（図４中Ｙ矢印方向）にｎ本のデータ線１３が延設されている。そして、各走査線１２とデータ線１３とが交差する交差部に対応する位置には、画素９が設けられている。即ち、発光エリア８内には、ｍ×ｎ個の画素９がマトリクス状に配置されている。
【００１９】
各画素９には、図４中の拡大部５０に示すように、電気光学素子としての有機エレクトロルミネッセンス素子（以下、「有機ＥＬ素子」という）１４、及び該有機ＥＬ素子１４を制御するための駆動回路１５が形成されている。
【００２０】
図５は、拡大部５０中ａ−ａ線断面図である。
図５に示すように、有機ＥＬ素子１４は、ガラス基板Ｓ上に形成された回路形成層Ｓａ上に形成されている。この回路形成層Ｓａは、各有機ＥＬ素子１４に駆動電力を供給する薄膜トランジスタ（ＴＦＴ）１６といった前記駆動回路１５を構成する各種回路素子や非発光エリア１０に形成される走査線ドライバ１１等を構成する回路素子の一部または全部が形成された層である。
【００２１】
また、画素９内の領域には、画素電極１７が形成されている。画素電極１７上には、本実施形態においては、正孔輸送層１８、発光層１９が積層されてなる機能層２０が形成されている。そして、各画素電極１７は、対応する薄膜トランジスタ１６とコンタクトホールＨを介して電気的に接続されている。
【００２２】
また、機能層２０上には、隣接する他の領域の機能層２０上に渡って陰極２１が形成されている。そして、前記した画素電極１７、正孔輸送層１８、発光層１９及び陰極２１が積層されて有機ＥＬ素子１４が構成される。尚、本実施形態においては、有機ＥＬ素子１４は、隣接する他の有機ＥＬ素子１４とバンク２２によって区画されている。このバンク２２は、機能層２０を、その各層１８，１９を構成する材料を所定の溶媒に溶解または分散して作られた液状組成物を塗布して形成するようにした、所謂インクジェット法を採用した場合、その各液状組成物が隣接する他の画素電極１７上に流れ込まないようにするための隔壁として機能するものである。即ち、ガラス基板Ｓ上に回路形成層Ｓａ及び画素電極１７を形成した後に、各画素電極１７の外周を囲うようにしてバンク２２を形成し、その後に、図示しない公知のインクジェットヘッドを使用して各画素電極１７上に正孔輸送層材料が溶媒に溶解または分散された液状組成物を吐出する。そして、その後、吐出された液状組成物を乾燥することで正孔輸送層１８を形成する。その後、再び、公知のインクジェットヘッドを使用して各正孔輸送層１８上に、発光層材料が溶媒に溶解または分散された液状組成物を吐出し、その後に、その液状組成物を乾燥することで発光層１９を形成するようにしている。
【００２３】
さらに、陰極２１上には、四角形状の封止基板２３が形成されている。この封止基板２３は、図１に示すように、ガラス基板Ｓ（画素基板６）に比べて小さく、発光エリア８及びその周囲のみを覆うように形成されている。従って、封止基板２３の４つの端部３０ａ〜３０ｄは、ガラス基板Ｓ（画素基板６）上にある。言い換えると、ガラス基板Ｓ（画素基板６）の周囲の領域は、封止基板２３によって覆われていない。ここで、以下、説明の便宜上、ディスプレイ部４をカバープレート３側から見た場合の封止基板２３の左側の端部を符号「３０ａ」で示し、右側の端部を符号「３０ｂ」で示している。また、上側の端部３０を符号「３０ｃ」で示し、下側の端部３０を符号「３０ｄ」で示している。また、以下の説明では、封止基板２３の左側の端部３０ａを、単に、「左側端部３０ａ」と記し、右側の端部３０ｂを、単に、「右側端部３０ｂ」と記す。
【００２４】
また、図３に示すように、一対の走査線ドライバ１１は、発光エリア８を介して非発光エリア１０上の上下に設けられている。各走査線ドライバ１１は、走査線１２を介して各画素９の前記駆動回路１５（図４参照）に電気的に接続されている。各走査線ドライバ１１は、ｍ本の走査線１２のうちの一本の走査線１２に選択信号（走査信号）を出力するとともに他の走査線１２には非選択信号を出力することで、その選択信号（走査信号）が供給された走査線１２に対応したｍ個の画素９を選択する。そして、各走査線ドライバ１１は、選択信号（走査信号）を、順次、他の走査線１２に出力することで、全ての走査線１２を順次選択する。
【００２５】
フレキシブル回路基板７は、発光エリア８を介して非発光エリア１０上の左右側に２個ずつ、合計４個設けられている。各フレキシブル回路基板７上には、データ線ドライバ２４が実装されている。各フレキシブル回路基板７は、画素基板６の光出射面２Ａと反対側の面（プリント基板５側の面）２Ｂの左右両側部にて、その基端部２４ａが異方性導電フィルム（ＡＣＦ）によって接続されている。そして、各フレキシブル回路基板７は、ディスプレイ部４がカバープレート３に取り付けられている状態においては、図２に示すように、画素基板６の左右端に沿ってプリント基板５側に、同プリント基板５上に載るように折り返されている。
【００２６】
データ線ドライバ２４は、その基端部２４ａ及びデータ線１３を介して各画素９の前記駆動回路１５（図４参照）に電気的に接続されている。
そして、データ線ドライバ２４は、走査線ドライバ１１が出力した選択信号（走査信号）によって選択された行の画素９に対して、その各有機ＥＬ素子１４のデータ信号を出力する。このデータ信号は、データ線１３を介して薄膜トランジスタ１６（図５参照）に供給され、前記画素電極１７から正孔輸送層１８を介して各発光層１９に注入されるキャリア密度を決定する信号である。そして、このデータ信号によって、各有機ＥＬ素子１４の発光輝度が決定される。
【００２７】
また、各走査線ドライバ１１及びデータ線ドライバ２４は、図示しない制御回路に電気的に接続され、該制御回路から出力される制御信号によってその駆動が制御されるようになっている。そして、前記制御回路から出力される各種制御信号によって所定のタイミングで走査線ドライバ１１から走査信号が出力されるとともに、データ線ドライバ２４からデータ信号が出力される。その結果、各画素９が駆動されて、有機ＥＬ素子１４がデータ信号に基づいた輝度で発光することで、発光エリア８上にデータ信号に基づいた所望の画像が表示される。そして、その画像がガラス基板Ｓを透過してカバープレート３側に出射される。つまり、ディスプレイ部４は、所謂ボトムエミッション型の有機ＥＬディスプレイであって、そのガラス基板Ｓのカバープレート３側が光出射面２Ａである（図５参照）。
【００２８】
図１に示すように、プリント基板５は、略長方形状を成しており、ディスプレイ部４とほぼ同じ大きさである。放熱板２５は、熱伝導性の優れた材料で構成されており、本実施形態では、アルミニウムで構成されている。放熱板２５は、ディスプレイ部４にて発せられた熱を吸収し外部に放出するためのものである。放熱板２５は、封止基板２３の全面に密着するように、（図示しない）熱伝導性の高い両面テープ等により連結されている。
【００２９】
図１及び図２に示すように、カバープレート３は、画素基板６の表面を覆うようにして取り付けられている。カバープレート３は、その略中央に開口部２７を備えている。この開口部２７は、ディスプレイ部４の発光エリア８とほぼ同じ大きさである。開口部２７は、有機ＥＬ素子１４にて発せられた光を外部へ導くための開口部である。つまり、発光エリア８上に表示された画像は、開口部２７内に視認される。そして、この開口部２７の周辺のカバープレート３は、画素基板６（ガラス基板Ｓ）の光出射面２Ａに直接接触するようにして（図示しない）両面テープ等により取り付けられている。
【００３０】
また、カバープレート３は、開口部２７を介して封止基板２３の左側端部３０ａよりも左側の領域、及び、右側端部３０ｂよりも右側領域では、それぞれ画素基板６（ガラス基板Ｓ）の光出射面２Ａに接触していない一対の非接触部３１ａ，３１ｂを備えている。
【００３１】
詳しくは、図２に示すように、カバープレート３は、封止基板２３の左側端部３０ａに対応した画素基板６（ガラス基板Ｓ）の光出射面２Ａ上の位置Ｐａ、及び、右側端部３０ｂに対応した画素基板６の光出射面２Ａ上の位置Ｐｂにて、光出射面２Ａから離間するように、図２中矢印で示した光出射方向に向かって屈曲している。この光出射方向とは、光出射面２Ａに対して垂直な方向である。
【００３２】
そして、カバープレート３は、その光出射面２Ａ上の位置Ｐａよりも左側、及び、位置Ｐｂよりも右側では、それぞれ光出射面２Ａから一定の距離だけ離間した状態を維持するように、光出射面２Ａと平行になるようにそれぞれ左右外側方向に向かって屈曲している。そして、さらに、画素基板６（ガラス基板Ｓ）の左右両端部では、カバープレート３は、表示パネル２の左右両端部をカバーするようにプリント基板５に向かって屈曲している。つまり、カバープレート３は、封止基板２３の端部３０ａ，３０ｂよりも左右外側に対応した位置にて、画素基板６（ガラス基板Ｓ）に直接接触せずに、光の出射方向に凸形状に盛り上った形状を成している。
【００３３】
次に、以上のように構成された表示装置１の作用について図６に従って説明する。
図６（ａ）は、封止基板２３の左側端部３０ａに対応して設けられたカバープレート３の非接触部３１ａ周辺付近の表示装置１の上面図であり、図６（ｂ）は、カバープレート３に外部からプリント基板５に向かう力Ｆが加えられた場合の非接触部３１ａ周辺付近の表示装置１の上面図である。
【００３４】
図６（ａ）に示した表示装置１は、カバープレート３に外部から力が加えられていない場合である。従って、位置Ｐａよりも左側の光出射面２Ａでは、カバープレート３は、画素基板６（ガラス基板Ｓ）に接触せずに、光出射面２Ａと一定の距離だけ離間した状態のまま、つまり、光出射面２Ａと平行に画素基板６（ガラス基板Ｓ）の左端部に向かって延設している。そして、カバープレート３は、画素基板６（ガラス基板Ｓ）の左端部にてプリント基板５に向かって垂直に屈曲している。
【００３５】
そして、カバープレート３に、外部からプリント基板５に向かう力Ｆが加えられると、図６（ｂ）に示すように、カバープレート３は、非接触部３１ａと画素基板６（ガラス基板Ｓ）の光出射面２Ａとの間の間隙に入り込むようにして撓む。このとき、前記と同様に、位置Ｐａよりも左外側の光出射面２Ａにカバープレート３は接触しない。このため、力Ｆのカバープレート３に対する作用点は、光出射面２Ａ上の位置Ｐａのままである。
【００３６】
尚、封止基板２３の右側端部３０ｂに対応して設けられたカバープレート３の非接触部３１ｂにおいても、前記と同様であり、外部からプリント基板５に向かう力Ｆが加えられた場合であっても、その位置Ｐｂよりも右外側の光出射面２Ａにカバープレート３が接触することはない。従って、力Ｆのカバープレート３に対する作用点は、光出射面２Ａ上の位置Ｐｂのままである。
【００３７】
以上のように構成された表示装置１によれば、以下のような効果を奏する。
（１）  本実施形態では、カバープレート３は、封止基板２３の左側端部３０ａよりも左側の領域に対応した画素基板６（ガラス基板Ｓ）に接触しないように凸形状に盛り上った形状をした非接触部３１ａを設けた。従って、カバープレート３に外部から力Ｆが加えられても、力Ｆの作用点は光出射面２Ａ上の位置Ｐａのままである。そして、この作用点が位置する画素基板６（ガラス基板Ｓ）の光出射面２Ａ上の位置Ｐａは、画素基板６（ガラス基板Ｓ）と封止基板２３とが重なり合った位置であるので強固である。その結果、画素基板６（ガラス基板Ｓ）の、封止基板２３の左側端部３０ａよりも左側の領域が破損するのを防止することができる。
（２）  本実施形態では、カバープレート３は、封止基板２３の右側端部３０ｂよりも右側の領域に対応した画素基板６（ガラス基板Ｓ）に接触しないように凸形状に盛り上った形状をした非接触部３１ｂを設けた。従って、カバープレート３に外部から力Ｆが加えられても、力Ｆの作用点は光出射面２Ａ上の位置Ｐｂのままである。そして、この作用点が位置する画素基板６（ガラス基板Ｓ）の光出射面２Ａ上の位置Ｐｂは、画素基板６（ガラス基板Ｓ）と封止基板２３とが重なり合った位置であるので強固である。その結果、画素基板６（ガラス基板Ｓ）の、封止基板２３の右側端部３０ｂよりも右側の領域が破損するのを防止することができる。
（３）  従って、本実施形態では、カバープレート３に外部からプリント基板５に向かう力Ｆが加えられても、画素基板６（ガラス基板Ｓ）の左右両側が破損するのを防止することができるので、堅牢な表示装置１を実現することができる。
（４）  本実施形態では、非接触部３１ａ，３１ｂを、カバープレート３の左右両側にのみ設けるようにした。そして、この非接触部３１ａ，３１ｂは、それぞれ光出射方向に凸形状に盛り上った形状である。従って、各非接触部３１ａ，３１ｂは、例えば、プレス加によって簡単に形成することができる。この結果、複雑な加工を施すことなく、簡単に、堅牢な表示装置１を製造することができる。
（５）  本実施形態では、電気光学素子として、有機エレクトロルミネッセンス素子１４を使用した。従って、発光エリア８内に表示される各種画像を高輝度・高精彩なものにすることができる。
（６）  本実施形態では、電気光学素子として有機エレクトロルミネッセンス素子１４をインクジェット法により形成するようにした。従って、材料の使用量を少なくして高品位の画像を表示させることができる。
【００３８】
（第２実施形態）
次に、上記第１の実施形態の表示装置１を、移動体としての自動車等の車両の表示モジュールとしてのインストルメントパネルに適応した場合について、図７及び図８に従って説明する。
【００３９】
図７及び図８は、それぞれ、表示装置１を、移動体としての自動車等の車両４０に搭載されたインストルメントパネル４１に設けた場合の様子である。この場合、上記したカバープレート３上に、図７に示すような化粧板４２が取り付けられている。
【００４０】
詳しくは、図７に示すように、化粧板４２は、その中央に円形状の貫通孔４３が形成されている。そして、図８に示すように、この貫通孔４３に対向した位置に上記した表示装置１の開口部２７が位置するように、カバープレート３を化粧板４２に取り付けられている。つまり、カバープレート３の非接触部３１ａ，３１ｂが化粧板４２の裏面に接するようにして表示装置１が化粧板４２に固定される。
【００４１】
また、本実施形態においては、図示しない制御回路から各データ線ドライバ２４に対して車両４０の情報データとしての車速データが供給されるようになっている。そして、データ線ドライバ２４は、その車速データに基づいて作成された画像データを作成し、その画像データをデータ信号としてデータ線１３（図３参照）を介して有機ＥＬ素子１４に供給されるようになっている。
【００４２】
このように構成されたインストルメントパネル４１は、発光エリア８上には、前記画像データに基づいて車速をアナログ表示するスピードメータの画像８１が表示される。そして、そのスピードメータの画像８１が貫通孔４３を介して視認される。
【００４３】
以上のように構成された第３実施形態によれば、以下の作用効果を奏する。
（１）  本実施形態では、カバープレート３に化粧板４２に取り付けるようにしてインストルメントパネル３１を構成した。従って、インストルメントパネル３１を介してカバープレート３に力が加わっても、表示装置１の画素基板６（ガラス基板Ｓ）が破損することはない。この結果、例えば、インストルメントパネル４１を車両４０に取り付ける場合において、インストルメントパネル４１に力を加えてもその表示装置１を破損させることなく、インストルメントパネル４１を車両４０に取り付けることができる。
（２）  本実施形態では、電気光学素子として有機ＥＬ素子１４を使用したので、発光エリア８内に表示されるスピードメータの画像を高輝度・高精彩なものにすることができる。
【００４４】
尚、この発明は以下のように変更して具体化することもできる。
・上記第１実施形態では、電気光学素子として有機エレクトロルミネッセンス素子１４を用いたが、無機エレクトロルミネッセンス素子（無機ＥＬ素子）を用いた場合であってもよい。また、無機エレクトロルミネッセンス素子（無機ＥＬ素子）は、例えば、蒸着法やスパッタ法を用いて形成されたものであってもよい。このようにすることで、信頼性を向上させることが出来る。
【００４５】
・上記第１実施形態では、非接触部をカバープレート３の左右両側にのみ設けるようにしたが、カバープレート３の上側、下側、左側及び右側にそれぞれ設けるようにしてもよい。詳しくは、カバープレート３上の、開口部２７を介して封止基板２３の上側の端部３０ｃよりも上側の領域、及び、封止基板２３の下側の端部３０ｄよりも下側の領域にて対応する位置に非接触部を設けるようにする。
【００４６】
このようにすることで、加えられた力Ｆによって、画素基板６（ガラス基板Ｓ）の、封止基板２３の上側端部３０ｃよりも上側、及び下側端部３０ｄよりも下側の領域にあるガラス基板Ｓが破損するのを防止することができる。
・上記第１実施形態では、１枚のカバープレートを用いて、カバープレート３を屈曲させることにより、光出射面２Ａから一定の距離だけ離間した状態を維持するようにしているが、２枚以上のカバープレートを組み合わせ、離間した空間を作ってもよい。
【００４７】
・上記第１及び第２実施形態では、画素基板６は、ガラス基板Ｓで構成されていたが、ガラス以外の、例えば、酸化マグネシウム（ＭｇＯ）で構成された基板であってもよい。
・上記第３実施形態では、発光エリア８上には、車両４０のスピードメータの画像が表示されるようになっているが、そうではなく、例えば、エンジン回転数をアナログ表示するタコメータの画像が表示されるようになっていてもよい。また、カーナビゲーション装置の地図情報等の画像が表示されるようになっていてもよい。
【００４８】
・上記第１及び第２実施形態では、ディスプレイ部４は、電気光学素子として有機ＥＬ素子１４を使用した、所謂有機ＥＬディスプレイであるが、これに限定されるものではなく、他の電気光学素子を使用したものであってもよい。たとえば、ディスプレイ部４は、放電を用いた蛍光型のプラズマディスプレイに用いるディスプレイ、電子放出素子を用いたディスプレイ（ＦＥＤ）やＳＥＤ（Surface−Conduction  Electron−Emitter  Display）に用いるディスプレイであってもよい。また、ディスプレイ部４は、電気光学素子として液晶素子を使用した、所謂液晶ディスプレイであってもよい。
【００４９】
・上記第１及び第２実施形態では、エレクトロルミネッセンス素子として有機ＥＬ素子１４を用いた画素基板６について説明したが、無機ＥＬ素子を用いた画素基板、及びこれを用いた移動体のインストルメントパネルにも適用可能である。
【００５０】
・上記第３実施形態では、移動体といして自動車等の車両４０を一例として説明したが、本発明は、自動車等の車両４０以外に、航空機、船舶、電車等の移動体のインストルメントパネルや計器盤に搭載して、各種のメータ等の計器を画像表示するのに広く適用可能である。
【図面の簡単な説明】
【００５１】
【図１】表示装置の分解斜視図。
【図２】表示装置の上面図。
【図３】ディスプレイ部の正面図。
【図４】発光エリアの詳細を説明するための図。
【図５】画素のａ−ａ線断面図。
【図６】（ａ）及び（ｂ）は、それぞれ、表示装置の作用を説明するための図。
【図７】インストルメントパネルが搭載された車両内部を示す斜視図。
【図８】インストルメントパネルの上面図。
【符号の説明】
【００５２】
１…表示装置、３…カバープレート、６…画素基板、８…画素形成領域としての発光エリア、９…画素、１４…電気光学素子としての有機エレクトロルミネッセンス素子、２３…封止基板、２７…開口部、３０ａ，３０ｂ，３０ｃ，３０ｄ…封止基板の端部、３１ａ，３１ｂ…非接触部、４１…移動体の表示モジュールとしてインストルメントパネル。
【図１】
2006323145.tif 000003
【図２】
2006323145.tif 000004
【図３】
2006323145.tif 000005
【図４】
2006323145.tif 000006
【図５】
2006323145.tif 000007
【図６】
2006323145.tif 000008
【図７】
2006323145.tif 000009
【図８】
2006323145.tif 000010